(57)【要約】【課題】室内を乾燥しないようにしながら、結露の発生も防ぐことにより、快適な室内環境を実現する。【解決手段】空気調和機１は、室内環境の指標を検出する検出部１３と、検出された指標に基づいて室内状況を判断して、加湿機２の運転を制御する制御部１４とを備えている。制御部１４は、暖房運転の開始と同時に加湿機２に加湿運転を行わせ、室内状況が変化したとき、加湿機２の加湿運転を他の運転に変更させる。室内状況が結露状態になると、加湿機２は加湿運転を停止する。【選択図】図１
2014070882.tif 000002
【特許請求の範囲】
【請求項１】
空調運転に連動させて、室内に設置された空調機器の運転を制御する空気調和機であって、室内環境の指標を検出する検出部と、検出された指標に基づいて室内状況を判断して、空調機器の運転を制御する制御部とを備え、制御部は、暖房運転の開始とともに空調機器に加湿運転を行わせ、室内状況が変化したとき、空調機器の加湿運転を他の運転に変更させることを特徴とする空気調和機。
【請求項２】
制御部は、室内状況が結露状態になると、空調機器の加湿運転を停止させることを特徴とする請求項１記載の空気調和機。
【請求項３】
制御部は、室内状況が通常状態になると、空調機器に空気清浄運転を行わせることを特徴とする請求項１または２記載の空気調和機。
【請求項４】
空調機器が検出部を備え、制御部は、複数の検出部から室内環境の指標値を取得して、複数の指標値から平均値を算出し、指標の平均値を報知することを特徴とする請求項１〜３のいずれかに記載の空気調和機。
【請求項５】
空気調和機と室内に設置された空調機器とが通信可能とされ、空気調和機の空調運転に連動して空調機器が運転を行う空調システムであって、空気調和機が暖房運転を開始すると、空気調和機からの指示により空調機器が加湿運転を行い、空気調和機は、室内環境に基づいて室内状況を判断し、室内状況が変化したとき、空調機器の加湿運転を他の運転に変更させることを特徴とする空調システム。
【発明の詳細な説明】
【技術分野】
【０００１】
本発明は、加湿機などの空調機器と連動して、空調運転を行う空気調和機および空調システムに関する。
【背景技術】
【０００２】
空気調和機が暖房運転を行うと、室内の相対湿度が下がり、室内が乾燥状態となる。特許文献１には、空気調和機と加湿機とを連動させて運転することが記載されている。空気調和機が暖房運転を行い、室内の湿度が所定値以下になったとき、加湿機がオンされ、室内の湿度が所定値より高くなると、加湿機がオフされる。また、特許文献２には、空気調和機と加湿機とが相互に通信を行い、空気調和機が室内の湿度に応じて加湿機の運転を制御する。また、加湿機の運転状態がリモコンに表示される。
【先行技術文献】
【特許文献】
【０００３】
【特許文献１】特開２００２−２５０５５５号公報
【特許文献２】特開２００２−８９９４２号公報
【発明の概要】
【発明が解決しようとする課題】
【０００４】
加湿機の運転は空気調和機により制御される。しかし、空気調和機が暖房運転を開始しても、加湿機はすぐには運転されず、室内の湿度が下がったとき、すなわち室内が乾燥状態になったときに、加湿機の運転が開始される。そのため、室内の乾燥状態がしばらく続くことになり、快適な室内環境になるまで時間がかかる。また、暖房運転中、外気温が低いと窓や壁に結露が発生する。室内の湿度に基づいて加湿機の運転を制御していると、湿度が所定値より低いとき、加湿機は運転される。しかし、室内の湿度が低くても、外気温が低いあるいは室温が高いといった室内状況になると、結露が発生する場合がある。
【０００５】
本発明は、上記に鑑み、室内を乾燥しないようにしながら、結露の発生も防ぐことにより、快適な室内環境を実現できる空気調和機および空調システムの提供を目的とする。
【課題を解決するための手段】
【０００６】
本発明の空気調和機は、室内環境の指標を検出する検出部と、検出された指標に基づいて室内状況を判断して、空調機器の運転を制御する制御部とを備え、空調運転に連動させて、室内に設置された空調機器の運転を制御するものである。制御部は、暖房運転の開始とともに空調機器に加湿運転を行わせ、室内状況が変化したとき、空調機器の加湿運転を他の運転に変更させる。
【０００７】
すなわち、上記の空気調和機と室内に設置された空調機器とから空調システムが構成される。空気調和機と空調機器とが通信可能とされ、空気調和機の空調運転に連動して空調機器が運転を行う。したがって、空気調和機が暖房運転を開始すると、空気調和機からの指示により空調機器が加湿運転を行う。空気調和機は、室内環境に基づいて室内状況を判断し、室内状況が変化したとき、空調機器の加湿運転を他の運転に変更させる。
【０００８】
暖房運転と同時に加湿運転が行われ、暖房運転によって室内が乾燥することを防げる。加湿により、室内の湿度が高くなっていく。制御部は、検出部により検出された室温や湿度などの指標に基づいて室内状況を判断している。室内状況が結露状態になったとき、制御部は、空調機器の加湿運転を停止させる。加湿運転の停止は、運転の変更の１つである。
【０００９】
室内状況が通常状態になると、制御部は、空調機器に空気清浄運転を行わせる。また、室内状況が乾燥状態になると、制御部は、空調機器に加湿運転を行わせる。空気調和機の暖房運転中、室内状況が変化する。この変化に応じて、空調機器の運転が変えられる。これにより、結露を防ぐことができる。室内状況が改善されることにより、快適な室内環境を実現できる。
【００１０】
空調機器が検出部を備え、制御部は、複数の検出部から室内環境の指標値を取得して、複数の指標値から平均値を算出し、指標の平均値を報知する。空気調和機や空調機器は、室内の異なる位置にある。そのため、位置によって検出される指標が異なる。そこで、指標の平均値を算出して、空気調和機や空調機器が平均値を報知することにより、室内の平均的な指標を認識できる。ユーザは異なる指標を見て、当惑するといったことを防げる。
【００１１】
空調機器が空調運転を行っているとき、空気調和機の制御部が空調機器に空調運転を指示すると、この指示が優先され、空気調和機に連動して、空調機器の空調運転が他の空調運転に変更される。強制的に空調機器の運転を空気調和機の空調運転に応じて変更させることにより、快適な室内環境をすばやく実現できる。
【００１２】
空調機器が連動して空調運転を行っているとき、空調機器においてユーザによる操作が行われると、空調機器は、ユーザの操作を優先して、操作にしたがった運転を行う。これにより、ユーザの要望に答えることができる。
【００１３】
空気調和機からの指示が所定時間ないとき、空調機器は、連動した運転を停止する。室内状況に変化がないとき、空気調和機は空調機器に指示を行わない。空調機器は、連動して空調運転を行う必要がなくなる。そのため、空調機器の連動した運転を停止しても差し支えない。
【発明の効果】
【００１４】
本発明によると、空気調和機が暖房運転を開始すると同時に、空調機器が連動して加湿運転を行うことにより、暖房運転に伴う室内の乾燥を未然に防止できる。また、過度の加湿により室内が結露状態になると、空調機器の加湿運転が停止されるので、結露を防止できる。このように、空気調和機に連動して行われる空調運転の空調運転を変更することにより、快適な室内環境を実現できる。
【図面の簡単な説明】
【００１５】
【図１】本発明の空調システムの制御ブロック図
【図２】空気調和機および停止中の加湿機の動作シーケンス
【図３】空気調和機および加湿運転中の加湿機の動作シーケンス
【図４】空気調和機および空気清浄運転中の加湿機の動作シーケンス
【図５】平均湿度報知のフローチャート
【発明を実施するための形態】
【００１６】
本実施形態の空気調和機１は、図１に示すように、室内に設置された空調機器の１つである加湿機２と通信可能とされ、加湿機２の運転を制御する。このような空気調和機１と加湿機２とにより、空気調和機１の空調運転に連動して加湿機２を運転する空調システムが形成される。
【００１７】
空気調和機１は、室内機と室外機とからなるセパレートタイプとされる。室内機と加湿機２とは同じ室内に設置される。なお、複数の加湿機２が室内に設置されていてもよい。空気調和機１は、冷房運転、暖房運転などの空調運転を行う。加湿機２は、加湿運転、空気清浄運転などの空調運転を行う。空気調和機１は、リモコン３からの操作信号に応じて動作する。また、加湿機２もリモコン３によって動作する。なお、リモコン３は共用されるが、空気調和機１と加湿機２とは、それぞれ別々のリモコン３によって操作できるようにしてもよい。
【００１８】
空気調和機１は、室温を検出する室温センサ１０、湿度を検出する湿度センサ１１、外気温を検出する外気温センサ１２といった検出部１３と、検出部１３の出力に基づいて空調運転を制御する制御部１４と、リモコン３および加湿機２と双方向に通信する通信部１５と、運転状態、室内状況などの各種の情報を表示、音などで報知するための報知部１６とを備えている。
【００１９】
加湿機２は、室温を検出する室温センサ２０、湿度を検出する湿度センサ２１といった検出部２２と、検出部２２の出力に基づいて空調運転を制御する制御部２３と、空気調和機と双方向に通信する通信部２４と、運転状態、室内状況などの各種の情報を表示、音などで報知するための報知部２５とを備えている。
【００２０】
リモコン３は、室温を検出する室温センサ３０、湿度を検出する湿度センサ３１といった検出部３２と、空気調和機１および加湿機２と双方向に通信する通信部３３と、運転状態、室内状況などの各種の情報を表示、音などで報知するための報知部３４と、運転ボタンなどの各種の操作ボタンを有する操作部３５と、操作部３５の入力に基づいて他の機器との通信を行う制御部３６とを備えている。なお、リモコン３の検出部３２は必ずしも設ける必要はない。
【００２１】
空気調和機１と加湿機２とは、それぞれの通信部１５，２４を通じて所定の通信方式による通信を行う。通信方式として、赤外線通信、特定小電力無線、無線ＬＡＮなどの無線通信がある。空気調和機１および加湿機２とリモコン３とは、赤外線通信が行われる。
【００２２】
各機器の検出部１３，２２，３２は、温度、湿度などの室内環境の指標を検出する。空気調和機１の制御部１４は、リモコン３から受信した運転信号あるいはタイマ予約にしたがって空調運転を行う。そして、制御部１４は、室内環境の指標に基づいて室内状況を判断して、室内状況に応じて空調運転を制御する。例えば、室温が設定温度に達すると、圧縮機を停止させて、送風運転を行う。
【００２３】
空気調和機１の制御部１４は、空調運転に応じて加湿機２の運転を制御する。すなわち、制御部１４は、空調運転に応じて加湿機２に運転を指示する。指示に際して、制御部１４は、加湿機２の空調運転を制御するためのオン信号、オフ信号などの制御信号を出力し、通信部１５が制御信号を加湿機２に送信する。
【００２４】
空気調和機１が空調運転を開始するとき、制御部１４は加湿機２に運転開始を指示する。この指示にしたがって通信部１５は、運転オン信号を加湿機２に送信する。加湿機２は、空気調和機１からの運転オン信号を受けて、空調運転を開始する。すなわち、空気調和機１の空調運転とほぼ同時に、加湿機２は空調運転を開始する。空気調和機１が空調運転を停止するとき、制御部１４は加湿機２に運転停止を指示する。通信部１５は、運転オフ信号を加湿機２に送信する。加湿機２は、運転オフ信号を受けて、空調運転を停止する。
【００２５】
また、空気調和機１の制御部１４は、空調運転中、室内状況に応じて加湿機２の空調運転を制御する。すなわち、制御部１４は、検出部１３から室内環境の指標を収集して、室内状況を判断する。制御部１４は、室内状況が目標とする室内環境の範囲内であると判断すると、現在の空調運転を続行させる。制御部１４は、室内状況が目標とする室内環境の範囲外になったと判断すると、この変化に応じて加湿機２の現在の空調運転を他の空調運転に変更させる。制御部１４は、空調運転を変更するための変更信号などの制御信号を出力し、通信部１５が制御信号を加湿機２に送信する。
【００２６】
例えば、空気調和機１が暖房運転を行い、加湿機２が加湿運転を行っているとき、室内の湿度が高くなると、室内状況が通常状態から湿度の多い多湿状態に変化する。このとき、制御部１４は、湿度が目標とする湿度範囲ではなくなったと判断し、加湿機２の空調運転を他の空調運転に変更するための運転変更信号を出力し、通信部１５は、運転変更信号を加湿機２に送信する。
【００２７】
加湿機２における他の空調運転への変更の形態として、空調運転の種類の変更、空調運転の運転モードの変更、空調運転の停止などがあげられる。すなわち、加湿運転から空気清浄運転への変更、加湿運転を強運転モードから弱運転モード、エコ運転モードなどへの変更、加湿運転をエコ運転モードから中運転モード、強運転モードなどへの変更、加湿運転の停止などである。室内状況に応じて、これらの変更の中から適切な変更が選択される。運転変更信号には、空調運転の種類、運転モードなどの運転情報が含まれている。
【００２８】
空気調和機１は、特に室内状況として、結露状態にあるか否かを監視している。制御部１４は、検出部１３によって検出された室温、外気温および室内の湿度に基づいて、室温と湿度から露点温度を確定し、外気温と露点温度を比較して、結露状態にあるか否かを判断する。結露状態にあるとき、制御部１４は、加湿機２の加湿運転を停止させる。結露状態でないとき、制御部１４は、加湿機２の加湿運転を続行させる。
【００２９】
なお、加湿機２は、空気調和機１の指示にしたがって運転を行ったり、運転を変更したとき、応答信号を空気調和機１に送信する。空気調和機１では、この応答信号により、加湿機２が連動して動作したことを確認することができる。
【００３０】
上記の空気調和機１と加湿機２とが連動して空調運転を行うときの動作を図２にしたがって説明する。空気調和機１と加湿機２とが連動するために、連動モードが設定される。空気調和機１の制御部１４および加湿機２の制御部２３は、ユーザの操作により連動モードをオンする。空気調和機１および加湿機２の空調運転はオフである（Ａ１、Ｂ１）。空気調和機１が暖房運転を開始するとき、空気調和機１は、加湿機２に運転オン信号を送信する（Ａ２）。
【００３１】
加湿機２は、運転オン信号を受信すると、加湿運転を開始する（Ｂ２）。加湿運転の運転モードは予め設定されており、例えばエコ運転モードが実行される。また、加湿機２の報知部２５は、連動中であることを示すランプの点灯あるいはディスプレイに連動中であることを表示して、加湿運転中であることを報知する。
【００３２】
このようにして、空気調和機１の暖房運転の開始に連動して、加湿機２の加湿運転が開始される。暖房運転によって室内が乾燥する前に加湿されるので、室内の乾燥を未然に防止できる。
【００３３】
暖房運転中、空気調和機１の制御部１４は、検出部１３によって検出された室内環境の指標の検出値に基づいて室内状況を監視している。室内の湿度が乾燥状態の基準値、例えば４０％以下になったとき、制御部１４は、室内状況が乾燥状態になった判断し（Ａ３）、加湿機２の運転モードを加湿量をアップする運転モードに変更させる運転変更信号を出力する。通信部１５が運転変更信号を加湿機２に送信する。空気調和機１の報知部１６は、ランプの点灯あるいはディスプレイでの表示などによって、乾燥状態であることを報知する。
【００３４】
加湿機２が運転変更信号を受信すると、制御部２３は、運転モードをエコ運転モードから中運転モードあるいは強運転モードに変更する（Ｂ３）。この加湿機２の空調運転の変更により、加湿機２の加湿量がアップして、室内の湿度が上がる。
【００３５】
室内の湿度が基準値を越える、例えば４１％以上になると、空気調和機１の制御部１４は、室内状況が通常状態になったと判断し（Ａ４）、加湿機２の運転モードを元の運転モードに変更させる運転変更信号を出力する。通信部１５が運転変更信号を加湿機２に送信する。報知部１６は、通常状態であることを報知する。
【００３６】
加湿機２が運転変更信号を受信すると、制御部２３は、運転モードをエコ運転モードに変更する（Ｂ４）。加湿機２の加湿量は、室内の湿度に応じて自動的に調整される。室内が乾燥しすぎないように、現在の室内状況が維持される。
【００３７】
暖房運転中、室内の湿度が高くなる、あるいは室温と外気温の差が大きくなると、結露が発生しやすくなる。空気調和機１の制御部１４は、室内状況を監視して、結露状態になったと判断する（Ａ５）と、加湿機２の加湿運転を停止させるよう運転オフ信号を出力する。通信部１５が運転オフ信号を加湿機２に送信する。
【００３８】
加湿機２が運転オフ信号を受信すると、制御部２３は、加湿運転を停止する（Ｂ５）。報知部２５は、空気調和機１との連動がオフしたことを報知する。加湿機２の停止により、室内の加湿が行われなくなるので、室内の湿度が下がり、結露の発生を防止できる。
【００３９】
この後、空気調和機１は暖房運転を行い、室内の湿度が下がってくる。室内状況が結露状態から通常状態になると、制御部１４は、加湿機２に空気清浄運転を行うように運転変更の指示を行う。加湿機２は、空気清浄運転を開始する。さらに、湿度が下がって、通常状態から乾燥状態になると、制御部１４は、加湿機２に加湿運転を行うように運転変更の指示を行う。加湿機２は、加湿運転を行う。
【００４０】
そして、空気調和機１が暖房運転を停止する（Ａ６）と、制御部１４は、連動オフ信号を出力し、通信部１５は、連動オフ信号を加湿機２に送信する。加湿機２は、連動オフ信号を受信すると、制御部２３は、加湿運転を停止して、空気調和機１との連動を解除する（Ｂ６）。
【００４１】
次に、加湿機２が加湿運転を行っているときに、空気調和機１が暖房運転を開始する場合を図３に示す。空気調和機１の空調運転はオフである（Ａ１）。加湿機２は加湿運転中である（Ｃ１）。
【００４２】
空気調和機１が暖房運転を開始する（Ａ２）と、空気調和機１は、加湿機２に運転オン信号を送信する。加湿運転中の加湿機２は、運転オン信号を受信すると、加湿運転の運転モードを変更する（Ｃ２）。運転モードがエコ運転モードに変更される。報知部２５は、連動による加湿運転中であることを報知する。
【００４３】
このように、連動モードが設定されている場合、事前に加湿機２が空調運転を行っていても、空気調和機１から運転開始の指示があると、この指示が優先される。
【００４４】
連動中の加湿機２における空調運転の変更（Ｃ３，Ｃ４，Ｃ５）については、図２のＢ３，Ｂ４，Ｂ５と同じである。空気調和機１が暖房運転を停止する（Ａ６）と、制御部１４は、連動オフ信号を出力し、通信部１５は、連動オフ信号を加湿機２に送信する。加湿機２は、連動オフ信号を受信すると、制御部２３は、連動による加湿運転を停止して、連動前に行っていた元の加湿運転を行う（Ｃ６）。
【００４５】
また、加湿機２が空気清浄運転を行っているときに、空気調和機１が暖房運転を開始する場合を図４に示す。空気調和機１の空調運転はオフである（Ａ１）。加湿機２は空気清浄運転中である（Ｄ１）。
【００４６】
空気調和機１が暖房運転を開始する（Ａ２）と、空気調和機１は、加湿機２に運転オン信号を送信する。空気清浄運転中の加湿機２は、運転オン信号を受信すると、空気清浄運転から加湿運転に変更する（Ｄ２）。報知部２５は、連動による加湿運転中であることを報知する。
【００４７】
室内状況が結露状態になったとき、空気調和機１の制御部１４は、検出された各種の指標から結露状態になったと判断して（Ａ５）、運転オフ信号を出力する。加湿機２が運転オフ信号を受信すると、制御部２３は、加湿運転を停止する（Ｄ５）。報知部２５は、空気調和機との連動がオフしたことを報知する。なお、連動中の加湿機２における空調運転の変更（Ｄ３，Ｄ４，Ｄ５）については、図２のＢ３，Ｂ４，Ｂ５と同じである。
【００４８】
空気調和機１が暖房運転を停止する（Ａ６）と、制御部１４は、連動オフ信号を出力し、通信部１５は、連動オフ信号を加湿機２に送信する。加湿機２は、連動オフ信号を受信すると、制御部２３は、連動による加湿運転を停止して、連動前に行っていた元の空気清浄運転を行う（Ｄ６）。
【００４９】
上記のように、加湿機２が連動して空調運転しているとき、空気調和機１からの運転変更などの指示がない場合がある。室内環境が安定していて、室内状況に変化がないとき、空気調和機１は、加湿機２に制御信号を送信しない。このような空気調和機１からの指示がない状態が所定時間続いたとき、加湿機２の制御部２３は、連動モードを解除して、連動した空調運転を停止する。加湿機２は、連動する前の空調運転を行う。なお、連動前、運転が停止していたときは、加湿機２は空調運転を停止する。
【００５０】
また、加湿機２が連動して空調運転しているとき、ユーザが加湿機２に設けられた操作ボタンを操作すると、加湿機２は直接された操作を優先する。これにより、ユーザの意思が尊重され、加湿機２は、ユーザの操作にしたがって動作する。例えば、空気清浄運転の運転ボタンが操作されると、加湿運転が停止して、空気清浄運転が開始される。以降、加湿機２の制御部２３は、空気調和機１からの運転変更信号を受け付けない。ただし、空気調和機１が運転オン信号あるいは連動オフ信号を送信したとき、加湿機２は、これらの信号を受け付ける。加湿機２は、連動による加湿運転を開始する、あるいは空気調和機１との連動を解除する。
【００５１】
ここで、空気調和機１および加湿機２が連動して空調運転を行っているとき、各機器の検出部１３，２２，３２は、温度、湿度などの室内環境の指標を検出している。検出された指標値は報知部１６，２５，３４において表示され、ユーザは室温や湿度などの指標を確認することができる。
【００５２】
ところが、空気調和機１の室内機、加湿機２およびリモコン３は、同じ室内ではあるが、それぞれ異なる場所に位置する。そのため、各機器が検出した指標値には差がある。指標値の相違により、ユーザは正確な情報を得ることができず、ユーザは適切に対処することができなくなる。
【００５３】
そこで、空気調和機１の制御部１４は、各機器から取得した複数の指標値から平均値を算出し、指標の平均値を報知する。ここでは、指標は室内の湿度とされる。図５に示すように、制御部１４は、連動モードがオンしているかをチェックする（Ｓ１）。連動モードがオフのとき、制御部１４は、自機の検出部１３から指標値である湿度を収集する。報知部１６は、湿度を表示する（Ｓ２）。制御部１４は、加湿機２やリモコン３から指標値を収集しない。
【００５４】
連動モードがオンのとき、制御部１４は、連動して空調運転が行われているかをチェックする（Ｓ３）。連動していないとき、すなわち空気調和機１が単独で空調運転を行っている、あるいは空調運転を行っていないとき、報知部１６は、自機で検出された湿度を表示する（Ｓ２）。
【００５５】
連動して他の機器が空調運転を行っているとき、制御部１４は、連動している機器と通信して、連動している機器の台数および各機器の湿度情報を取得する（Ｓ４、Ｓ５）。なお、連動している機器には、リモコン３も含まれる。制御部１４は、室内にある加湿機２やリモコン３などの機器に湿度情報を要求する要求信号を出力する。通信部１５は、室内にある全ての通信可能な機器に向けて要求信号を送信する。
【００５６】
加湿機２の制御部２３は、空気調和機１からの要求信号を受け取ると、検出部２２から湿度情報を収集して、湿度情報を含む応答信号を出力し、通信部２４は、応答信号を空気調和機１に送信する。空気調和機１の制御部１４は、加湿機２からの応答信号を受け取ると、応答信号から送信元を識別し、湿度情報をメモリに記憶する。湿度情報には、連動している空調機器と検出した湿度に関する情報が含まれる。リモコン３からも応答信号が送信され、空気調和機１の制御部１４は、同様に応答信号を処理する。連動していない機器は、空気調和機１からの要求信号を受信しても、応答信号を送信しない。このようにして、空気調和機１の制御部１４は、応答信号に基づいて連動している機器の台数ｎおよび各機器の湿度情報Ｈ１〜Ｈｎを取得する。
【００５７】
空気調和機１の制御部１４は、収集した複数の湿度情報より湿度の平均湿度を算出する（Ｓ６）。湿度の平均値は、Ｈ１／ｎ＋Ｈ２／ｎ＋・・・＋Ｈｎ／ｎ＋補正値により算出される。補正値は、各機器の設置位置による補正である。設置位置により室温が異なり、一般的に室温が高いと湿度は下がる。例えば、室内機は天井近くに設置され、リモコン３は床近くにあり、前者の湿度は後者の湿度より低くなる。また、室内機の設置高さ、加湿機２の高さ、リモコン３が置かれるテーブルなどの家具の高さは、どのような室内においても大差がないので、機器毎に補正値を設定できる。
【００５８】
空気調和機１の制御部１４は、通信部１５を通じて平均湿度情報を各機器に送信する（Ｓ７）。空気調和機１、加湿機２およびリモコン３の報知部１６，２５，３４は、平均湿度を表示により報知する（Ｓ８）。ユーザはいずれの機器の報知部１６，２５，３４を見ても、同じ湿度が表示されているので、室内の乾燥状態を正しく認識できる。
【００５９】
空気調和機１は、平均湿度に基づいて空調運転を行ってもよい。制御部１４は、自機の検出部１３が検出した湿度ではなく、平均湿度を算出し、空調運転および加湿機２の運転を制御する。平均湿度は、空気調和機１において検出される湿度よりもユーザのいる環境に近い値を示す。そのため、平均湿度に基づいて加湿機２を連動させることにより、ユーザに対してより一層快適な室内環境を実現できる。
【００６０】
なお、本発明は、上記実施形態に限定されるものではなく、本発明の範囲内で上記実施形態に多くの修正および変更を加え得ることは勿論である。連動する空調機器として、空気清浄機、除湿機  イオン発生機、扇風機などを室内に設置してもよい。これにより、複数の空調機器が室内に設置され、空気調和機と複数の空調機器とにより空調システムが形成される。空気調和機は、暖房運転などの空調運転に連動して、複数の空調機器の運転を制御する。このとき、空気調和機は、空調機器毎に異なる運転の制御を行う。
【００６１】
空気調和機と空調機器との通信は、無線通信に限らず、ＬＡＮケーブルを介した通信でもよい。また、電力線を通信回線とした電力線通信（ＰＬＣ）でもよい。
【００６２】
湿度センサおよび温度センサを単独で室内に設置してもよい。これらのセンサは通信機能を有し、空気調和機と双方向に通信可能とされる。これにより、多くの室内環境の情報を収集でき、空調機器の運転をきめ細かく制御できる。複数の空調機器が設置されている場合、設置位置に応じて空調機器の運転を制御することにより、ユーザの近くの室内環境を局所的に快適にできる。
【符号の説明】
【００６３】
１    空気調和機
２    加湿機
３    リモコン
１３    検出部
１４    制御部
１５    通信部
１６    報知部
２２    検出部
２３    制御部
２４    通信部
２５    報知部
３２    検出部
３３    通信部
３４    報知部
３５    操作部
３６    制御部
【図１】
2014070882.tif 000003
【図２】
2014070882.tif 000004
【図３】
2014070882.tif 000005
【図４】
2014070882.tif 000006
【図５】
2014070882.tif 000007